(57)【要約】【課題】  ケーシング(1)の天板(10)の下方に設けられた燃焼室(2)の内部でガスバーナを燃焼させると共に、該ガスバーナ(3)からの燃焼排気を、前記燃焼室(2)の上端開口から前記天板(10)に開設されたバーナ用開口(101)を通して排出し、該排出された燃焼排気によって五徳上の鍋(9)を加熱するガスコンロに於いて、ケーシング(1)内が高温状態になるのを防止する。【解決手段】  前記燃焼室(2)の構成壁が断熱材で構成されていること。【選択図】  図３
2005233497.tif 000002
【特許請求の範囲】
【請求項１】
ケーシング(1)の天板(10)の下方に設けられた燃焼室(2)の内部でガスバーナを燃焼させると共に、該ガスバーナ(3)からの燃焼排気を、前記燃焼室(2)の上端開口から前記天板(10)に開設されたバーナ用開口(101)を通して排出し、該排出された燃焼排気によって五徳上の鍋(9)を加熱するガスコンロに於いて、前記燃焼室(2)の構成壁が断熱材で構成されている、ガスコンロ。
【請求項２】
請求項１に係るガスバーナに於いて、
前記ガスバーナは環状のバーナボディを具備しており、
前記燃焼室(2)は、周側壁が前記バーナボディの上端に周方向へ並ぶように配設された炎孔群を包囲して上端開口を有する筒状に形成されるとともに、底壁が前記バーナボディの中央孔内に嵌入され、
前記周側壁と前記底壁が断熱材で構成されている、ガスコンロ。
【請求項３】
請求項１に記載のガスコンロに於いて、
前記ガスバーナは、前記天板(10)の下面に対して間隙を存して配設され、且つ、炎孔群が内周に形成された環状のバーナボディを具備する内炎式ブンゼンバーナであり、
前記燃焼室は、上端開口を有するとともに前記バーナボディの内周に対して間隙を存して内嵌し且つ前記炎孔(37)(37)の対向部に貫通孔(27)(27)が開設された筒体(28)と、前記筒体(28)内に於ける前記貫通孔(27)(27)より下位に装填された底板(23)で構成され、
前記底板(23)は断熱材で構成されている、ガスコンロ。
【発明の詳細な説明】
【技術分野】
【０００１】
本発明は、ガス燃焼を完結させる燃焼室から吐出された燃焼排気で鍋を加熱する形式のガスコンロに関するものである。
【背景技術】
【０００２】
図７は、ガス燃焼を完結させる燃焼室(2)から吐出された燃焼排気で鍋(9)を加熱する従来のガスコンロの要部断面図である。
ガスコンロのケーシング(1)内にはガス燃焼ユニット(U)の燃焼室(2)が形成されていると共に、該燃焼室(2)の上端開口はケーシング(1)の天板(10)に載置される五徳兼用カバー(4)で覆われている。又、五徳兼用カバー(4)の上面には放射状に延びる複数の鍋載置リブ(40)が隆起しており、該鍋載置リブ(40)には燃焼室(2)を内外に連通させる為の排気口(41)が開設されている。
【０００３】
一方、燃焼室(2)内にはガスバーナ(3)の炎孔(35)(35)群が露出していると共に、燃焼室(2)の底壁(21)には二次空気孔(22)(22)が開設されている。
このものでは、ガス燃焼用の二次空気は燃焼室(2)の底壁(21)に開設された二次空気孔(22)から該燃焼室(2)内に流入すると共に、該二次空気によってガスバーナ(3)の燃焼が完結する。そして、この燃焼の完結によって生成された燃焼排気は、燃焼室(2)の上端開口を覆う五徳兼用カバー(4)に開設された排気口(41)(41)から吐出されて鍋(9)を加熱する。
【０００４】
このものでは、鍋(9)と五徳兼用カバー(4)との上下間には燃焼排気が接触できるような空間が確保されれば良い。従って、ガスバーナ(3)を天板(10)の上方で燃焼させる為に背の高い五徳を用いる形式のガスコンロに比べ、鍋(9)の載置高さを低くすることができ、これにより、鍋(9)の安定化を図ることができる。又、ケーシング(1)に於ける天板(10)の上面の凹凸度合いが小さくなり、意匠感が向上する。
【特許文献１】特開平５−１４１６６０号公報
【発明の開示】
【発明が解決しようとする課題】
【０００５】
しかしながら、上記従来のものでは、ガスバーナ(3)の燃焼熱が燃焼室(2)の側板(29)を介してケーシング(1)内に拡散し易く、該ケーシング(1)内に配設された電気制御装置やガス電磁弁等の部品が熱的悪影響を受けて故障する心配がある。
本発明は、かかる点に鑑みてなされたもので、
『ケーシング(1)の天板(10)の下方に設けられた燃焼室(2)の内部でガスバーナを燃焼させると共に、該ガスバーナ(3)からの燃焼排気を、前記燃焼室(2)の上端開口から前記天板(10)に開設されたバーナ用開口(101)を通して排出し、該排出された燃焼排気によって五徳上の鍋(9)を加熱するガスコンロ』に於いて、ケーシング(1)内が高温状態になるのを防止することにより、該ケーシング(1)内に配設された電気制御装置等の部品が熱的悪影響を受けにくくすることを課題とする。
【課題を解決するための手段】
【０００６】
[請求項１に係る発明]
上記課題を解決する為の請求項１に係る発明の技術的手段は、
『前記燃焼室(2)の構成壁が断熱材で構成されている』ことである。
上記技術的手段によれば、燃焼室(2)の構成壁の断熱作用により、該燃焼室(2)内の熱がケーシング(1)内に漏れ難くなる。従って、ケーシング(1)内の温度上昇を抑制することができ、これにより、ケーシング(1)内に配設された電気制御装置等の部品が熱的悪影響を受け難くなる。
【０００７】
[請求項２に係る発明]
請求項１に係る発明に於いては、必ずしも、燃焼室(2)の構成壁を全て断熱材で構成する必要はないが、燃焼室(2)の断熱効果の向上を図る為には次のように構成するのが望ましい。即ち、
『前記ガスバーナは環状のバーナボディを具備しており、
前記燃焼室(2)は、周側壁が前記バーナボディの上端に周方向へ並ぶように配設された炎孔群を包囲して上端開口を有する筒状に形成されるとともに、底壁が前記バーナボディの中央孔内に嵌入され、
前記周側壁と前記底壁が断熱材で構成されている』ものとすることができる。
このものでは、燃焼室(2)の周側壁と底壁が断熱材で構成されているから、該燃焼室(2)が広範囲に亘って断熱材で覆われて断熱効果が向上する。
よって、ケーシング(1)内に配設された電気制御装置等の部品への熱的悪影響を一層確実に防止することができる。
【０００８】
[請求項３に係る発明]
請求項１に係る発明に於いて、
『前記ガスバーナは、前記天板(10)の下面に対して間隙を存して配設され、且つ、炎孔群が内周に形成された環状のバーナボディを具備する内炎式ブンゼンバーナであり、
前記燃焼室は、上端開口を有するとともに前記バーナボディの内周に対して間隙を存して内嵌し且つ前記炎孔(37)(37)の対向部に貫通孔(27)(27)が開設された筒体(28)と、前記筒体(28)内に於ける前記貫通孔(27)(27)より下位に装填された底板(23)で構成され、
前記底板(23)は断熱材で構成されている』ものとすることができる。
このものでは、内炎式ブンゼンバーナを燃焼させると、天板(10)とバーナボディとの間の空間からバーナボディ内周と筒体(28)との間の環状間隙部にガス燃焼用の二次空気が流入する。又、バーナボディの下方空間から前記環状間隙部にも二次空気が流入し、これにより、バーナボディ内周に形成された炎孔群に火炎が形成される。
【０００９】
そして、この燃焼時にバーナボディ内周の炎孔群に形成される火炎は、前記炎孔群の対向位置に形成された筒体(28)の貫通孔(27)(27)からその内方の燃焼室(2)内に吐出され、請求項１の発明と同様に、燃焼室(2)からの燃焼排気によって鍋(9)が加熱される。
このものでは、筒体(28)の側面はバーナボディの上下空間から炎孔(37)(37)へ流れる二次空気との接触によって冷却される。従って、燃焼室(2)内の熱が筒体(28)の側壁からケーシング(1)内へは殆ど熱拡散せず、燃焼室(2)の側壁を高価な断熱材で構成する必要がない。
一方、筒体(28)の底板(23)は断熱材で構成されているから、燃焼室(2)内の熱が前記底板(23)を介してケーシング(1)内に拡散することもなく、これにより、ケーシング(1)内の温度上昇が押さえられて電気制御装置等の部品が熱的悪影響を受け難くなる。
【発明の効果】
【００１０】
本願発明は次の特有の効果を有する。
燃焼室(2)内の熱がケーシング(1)内に漏れ難くなって該ケーシング(1)内の温度上昇を抑制することができ、これにより、ケーシング(1)内に配設された電気制御装置等の電気部品が熱的悪影響を受け難くなる。
請求項２に係る発明では、燃焼室(2)が広範囲に亘って断熱材で覆われるから、前記電気制御装置等の部品への熱的悪影響を一層確実に防止することができる。
請求項３に係る発明によれば、燃焼室(2)を構成する筒体(28)の側壁が燃焼用二次空気で冷却されるから、燃焼室(2)の側壁を高価な断熱材で構成する必要がなく、コストダウンに貢献できる。
【発明を実施するための最良の形態】
【００１１】
以下に、本発明を実施するための最良の形態について添付図面を参照しながら説明する。
[第１実施形態]
図１は、本発明の第１実施形態を説明するガスコンロの概略斜視図である。
扁平な矩形箱状に形成されたケーシング(1)の天板(10)にはバーナ用開口(101)が開設されていると共に、該バーナ用開口(101)部分には、五徳兼用カバー(4)とガスバーナ(3)等から成るガス燃焼ユニット(U)が配設されている。又、ケーシング(1)の前面の操作部(11)(11)には、ガス燃焼ユニット(U)に点・消火する際に押し込み操作し、且つ、火力調節の際には回転操作する操作つまみ(51)(51)と、ガス燃焼ユニット(U)が燃焼状態にあることを報知する燃焼ランプ(52)(52)が配設されている。
【００１２】
《ガス燃焼ユニット(U)》
図２は上記ガス燃焼ユニット(U)の分解斜視図である。
ガス燃焼ユニット(U)は、ブンゼン式のガスバーナ(3)と、該ガスバーナ(3)のバーナボディ(32)の上部に被冠される二次空気ガイド(6)と、前記バーナボディ(32)等を収容する内側断熱筒(26)（既述発明特定事項たる「周側壁」に対応する。）と、これと同心状に配設される外側断熱筒(24)と、更に、該外側断熱筒(24)等の上端開口を覆う五徳兼用カバー(4)とから構成されている。そして、上記内側断熱筒(26)及び外側断熱筒(24)は共にガラスウールやセラミック等の断熱材で構成されている。
【００１３】
図３に示すように、ガスバーナ(3)は、燃料ガス供給用のガスノズル(19)が差し込まれる上流端のガス入り口(34)を備えたベンチュリ(33)と、該ベンチュリ(33)の下流端に連設された中空環状のバーナボディ(32)とから構成されており、前記ベンチュリ(33)内で、燃料ガスと一次空気が混合されて前記バーナボディ(32)に送られるようになっている。
又、上記バーナボディ(32)の上端部には上方に開放する多数の炎孔(35)(35)群が周方向に配列されている。
【００１４】
上記バーナボディ(32)の上部を覆うように配設される二次空気ガイド(6)は、上記炎孔(35)(35)群に二次空気を案内するガイド用内筒(61)とガイド用外筒(62)とから構成されており、これらガイド用内筒(61)とガイド用外筒(62)は互いに同軸状に配設されている。
バーナボディ(32)の内側に配設されるガイド用内筒(61)は、下部の小径筒部(610)と、その上端から外側に広がるテーパー筒部(611)と、該テーパー筒部(611)の上端を鉛直方向に屈曲起立させた短筒部(612)とから構成されている。そして、上記ガイド用内筒(61)の小径筒部(610)は、ブラケット(613)(613)を介してバーナボディ(32)の内周壁に対してこれと同軸状に取り付けられており、これにより、バーナボディ(32)の内周とガイド用内筒(61)の外周との間には、下端流入口(65a)から炎孔(35)(35)群近傍の上端流出口(66a)に繋がる二次空気通路(67a)が形成される。
【００１５】
上記ガイド用内筒(61)のテーパー筒部(611)にはガラスウールやセラミック等の断熱材で構成された底板(69)（既述発明特定事項たる「底壁」に対応する。）が嵌入されており、これにより、燃焼室(2)内の熱が底板(69)で遮断されるようにしてその下方空間に漏出するのを防止している。
バーナボディ(32)の外側に配設されるガイド用外筒(62)は、下部の大径筒部(620)と、その上端から内側に縮径されるテーパー筒部(621)と、該テーパー筒部(621)の上端を鉛直方向に屈曲起立させた短筒部(622)とから構成されている。そして、上記ガイド用外筒(62)の大径筒部(620)は、ブラケット(623)(623)を介してバーナボディ(32)の外周壁に対してこれと同軸状に取り付けられており、これにより、バーナボディ(32)の外周とガイド用外筒(62)の内周との間には、下端流入口(65b)から炎孔(35)(35)群近傍の上端流出口(66b)に繋がる二次空気通路(67b)が形成される。
【００１６】
ガスバーナ(3)のバーナボディ(32)及び二次空気ガイド(6)は円筒状の内側断熱筒(26)に収容されている。具体的には、二次空気ガイド(6)を構成するガイド用外筒(62)のテーパー状筒部(621)に内側断熱筒(26)が載置状態になっている。そして、該内側断熱筒(26)の外側には、空気断熱層として機能する間隙(20)を存して外側断熱筒(24)が同心状に設けられている。尚、上記内側断熱筒(26)と外側断熱筒(24)は図示しないブラケットを介して相互に連結されている。
上記内側断熱筒(26)内の上部には、ガスバーナ(3)で加熱される金属製の環状板から成る赤熱プレート(25)が配設されており、該赤熱プレート(25)はブラケット(250)(250)によって内側断熱筒(26)に取り付けられている。
【００１７】
上記内側断熱筒(26)及び外側断熱筒(24)の上端開口に被蓋配設される五徳兼用カバー(4)は、本実施の形態では、熱伝導性の良好な金属材料で形成されており、図１〜図３に示すように、中央のドーム状隆起部(43)に貫設された中央排気口(41a)(41a)と、その外周域に貫設された周辺排気口(41b)(41b)とを備えている。又、五徳兼用カバー(4)の上面には、鍋(9)が載置される鍋支持突起(44)(44)が周方向に所定ピッチで配設されている。
【００１８】
次に、上記ガスコンロの使用の実際を説明する。
図１に表れる特定の操作つまみ(51)を押し込むと、図示しない点火装置が作動してガスバーナ(3)の炎孔(35)(35)群部分に点火用スパークが連射される。
又、上記操作つまみ(51)が押し込まれると、ガスバーナ(3)へのガス回路に挿入されたガス弁が開弁してガスノズル(19)からベンチュリ(33)のガス入り口(34)内に燃料ガスが噴出されると共に、該噴出時のエゼクタ効果によって、ガスノズル(19)の周囲の空気が燃焼用一次空気としてガス入り口(34)内に誘引され、これにより、一次空気が混合された燃焼ガスがガスバーナ(3)の炎孔(35)(35)群から噴出する。そして、炎孔(35)(35)群から燃料ガスが噴出すると、二次空気通路(67a)(67b)の上端流出口(66a)(66b)近傍の空気が炎孔(35)(35)群からの噴出ガスによるエゼクタ効果によって誘引され、これが炎孔(35)(35)群からの噴出ガスに対して二次空気として混合される。
【００１９】
そして、二次空気が混合された燃料ガスに対して、上記点火装置から点火されてこれが燃焼し、該燃焼によって生成される燃焼排気は、燃焼室(2)を上昇して五徳兼用カバー(4)の中央排気口(41a)及び周辺排気口(41b)から吐出されて鍋(9)を加熱する。
又、上記ガス燃焼に伴って、五徳兼用カバー(4)の下方の赤熱プレート(25)が赤熱され、該赤熱プレート(25)からの輻射熱が五徳兼用カバー(4)の周辺排気口(41b)越しに鍋(9)に照射され、前記輻射熱によっても鍋(9)が加熱される。
【００２０】
一方、燃焼室(2)の外周部及び底部は断熱材からなる内側断熱筒(26)や底板(69)で構成されており、更に、前記内側断熱筒(26)の外周には空気断熱層としての間隙(20)を存して外側断熱筒(24)が外嵌状態になっている。従って、上記ガスバーナ(3)の燃焼時に燃焼室(2)内が高温状態になっても、内側断熱筒(26)や底板(69)等の断熱作用によってケーシング(1)内に熱が漏れ難くなり、これにより、該ケーシング(1)内に配設された図示しない電気制御装置やガス電磁弁等の部品が熱的悪影響を受けて故障することがない。又、燃焼室(2)内の熱が漏れないから、その分、燃焼室(2)内が高温状態に維持されて鍋(9)の加熱効率が向上する。
【００２１】
[第２実施形態]
図４は、本発明の第２実施形態を示すガスコンロの要部断面図である。
ケーシング(1)の天板(10)に形成されたバーナ用開口(101)の周縁部には、燃焼室(2)を構成する為の金属製の筒体(28)の上端フランジ(201)が上方から係合している。又、筒体(28)の下端を内側に屈曲させた下端フランジ(202)には、ガラスウールやセラミック等の断熱材で構成された底板(23)が載置されていると共に、筒体(28)の周側部には縦長の貫通孔(27)(27)が周方向に並ぶ態様で形成されている。尚、上記底板(23)は前記貫通孔(27)(27)よりも下位に位置している。
【００２２】
上記筒体(28)には、所定の間隙(S)を存して外嵌する環状のバーナボディ(32’)を備えた内炎式ブンゼンバーナ(3’)が配設されていると共に、バーナボディ(32’)の内周には炎孔(37)(37)が所定ピッチで開設されている。又、バーナボディ(32’)の下部内周は下方に向かって直径が拡大する環状テーパー部(38)となっており、これにより、該環状テーパー部(38)に沿って二次空気が炎孔(37)(37)部へ円滑に流動するようになっている。
【００２３】
このものでは、内炎式ブンゼンバーナ(3’)を燃焼させると、バーナボディ(32’)の下方空間の空気が上記環状テーパー部(38)に案内されてバーナボディ(32’)内周と筒体(28)との間隙(S)から炎孔(37)(37)に二次空気として供給される。又、バーナボディ(32’)と天板(10)との間の空間の空気が上記間隙(S)から炎孔(37)(37)に二次空気として流れ込み、これにより、炎孔(37)(37)に火炎が形成されると共に、該火炎が貫通孔(27)(27)から燃焼室(2)内に噴出する。これにより、既述第１実施形態と同様に鍋(9)が加熱される。従って、このものでは、バーナボディ(32’)と筒体(28)の間隙(S)が炎孔(37)(37)への二次空気通路として機能する。よって、上記二次空気の流れによって筒体(28)の外面が冷却されるから、燃焼室(2)内から筒体(28)の側壁を介してケーシング(1)内に漏れる熱量は少ない。
【００２４】
一方、上記内炎式ブンゼンバーナ(3’)の燃焼時には燃焼室(2)内が高温状態になるが、該燃焼室(2)の底板(23)は断熱材で構成されているから、燃焼室(2)内の熱がケーシング(1)内に漏れ難くなる。
尚、上記第２実施形態では、天板(10)とバーナボディ(32’)との間に空間を設け、該空間からバーナボディ(32’)の内周と筒体(28)との間の環状間隙部にガス燃焼用の二次空気が流入する構成にしたが、図５に示すように、天板(10)に形成されたバーナ用開口(101)の周縁に環状断熱材(7)を装着し、該環状断熱材(7)にバーナボディ(32’)の上面が密着する構成にしてもよい。そして、前記環状断熱材(7)によって上記筒体(28)の上部外周を包囲すると共に、該環状断熱材(7)上に筒体(28)の上端フランジ(201)が載置されるようにする。このようにすると、環状断熱材(7)の断熱作用によって、筒体(28)の上部周壁の熱がケーシング(1)内に一層漏れ難くなり、これにより、ケーシング(1)内に配設された電気制御装置等への熱的悪影響を一層確実に防止することができる。又、図５のものでは、内炎式ブンゼンバーナ(3’)を燃焼させたときに高温になる筒体(28)と天板(10)の間には環状断熱材(7)が介在されているから、天板(10)の高温化防止に有効なものとなる。
【００２５】
又、図６に示すように、環状断熱材(7)とバーナボディ(32’)との間に空間(K)が確保されるようにし、該空間(K)からバーナボディ(32’)内周と筒体(28)との間の環状間隙部にガス燃焼用の二次空気が流入するようにしてもよい。このものでも、図５のものと同様に、図４のものに比べて筒体(28)の上部周壁の熱がケーシング(1)内に漏れ難くい。又、筒体(28)と天板(10)の間には環状断熱材(7)が介在されているから、天板(10)の高温化防止に有効なものとなる。
【００２６】
[その他]
１．上記各実施形態では燃焼室(2)の上端開口を五徳兼用カバー(4)で覆ったが、燃焼室(2)の上端開口は必ずしも覆う必要はない。この場合、天板(10)上に於けるバーナ用開口(101)の外周域に五徳を載置する。
２．上記各実施の形態では、ガスバーナ(3)や内炎式ブンゼンバーナ(3’)を自然燃焼させたが、給気用ファンによってガスバーナ(3)や内炎式ブンゼンバーナ(3’)の配設部に空気を供給することによって該ガスバーナ(3)や内炎式ブンゼンバーナ(3’)を強制燃焼させるようにしてもよい。
３．ガスバーナ(3)や内炎式ブンゼンバーナ(3’)を全一次空気式のガスバーナとしてもよい。
【図面の簡単な説明】
【００２７】
【図１】本発明の第１実施形態を説明するガスコンロの斜視図
【図２】第１実施形態のガス燃焼ユニット(U)の分解斜視図
【図３】第１実施形態のガス燃焼ユニット(U)の配設部の拡大断面図
【図４】第２実施形態のガス燃焼ユニット(U)の配設部の拡大断面図
【図５】第２実施形態の変形例の要部断面図
【図６】第２実施形態の変形例の要部断面図
【図７】従来例の説明図
【符号の説明】
【００２８】
(1)・・・ケーシング
(2)・・・燃焼室
(3)・・・ガスバーナ
(10)・・・天板
(23)・・・底板
(27)・・・貫通孔
(28)・・・筒体
(37)・・・炎孔
(101)・・・バーナ用開口
【図１】
2005233497.tif 000003
【図２】
2005233497.tif 000004
【図３】
2005233497.tif 000005
【図４】
2005233497.tif 000006
【図５】
2005233497.tif 000007
【図６】
2005233497.tif 000008
【図７】
2005233497.tif 000009